【事件の表示】
　平成　８年特許願第　９６２１３号「電子写真装置」拒絶査定不服審判事件〔平成　９年　２月２５日出願公開、特開平　９−　５４５３２〕について、次のとおり審決する。
【結　論】
　本件審判の請求は、成り立たない。
【理　由】
【手続の経緯、本願発明】　
　本願は、平成８年３月２６日の出願（優先権主張：平成７年６月７日（以下、本願優先日）という。）であって、平成１５年４月１０日付けで拒絶査定がなされ、これに対して同年５月１５日に拒絶査定に対する審判請求がなされるとともに、当審において平成１８年２月１５日付けで拒絶理由通知がなされ、それに対して同年４月１７日に手続補正がなされたものである。
　そして、この出願の請求項１に係る発明（以下、「本願発明」という）は、平成１５年１月１７日及び平成１８年４月１７日に提出された手続補正書により補正された明細書及び図面の記載からみて、本願の特許請求の範囲の請求項１に記載されたとおりの次のものと認める。
「【請求項１】
　感光体を回転クリーニング部材の外周内に食い込ませ、その回転クリーニング部材の回転により画像転写後の前記感光体上の残留トナーを除去する電子写真装置において、前記回転クリーニング部材と前記感光体との接触部で、それらを順方向に回転させるとともに、
　前記接触部のどこの点にあっても前記感光体の線速より前記回転クリーニング部材の線速が速くなるように、その回転クリーニング部材および前記感光体の回転速度を設定し、
　前記回転クリーニング部材として回転クリーニングブラシを用い、
　その回転クリーニングブラシのブラシ毛に、クリーニング時、その毛先が回転クリーニングブラシの回転方向と逆向きに湾曲し、感光体の表面にその湾曲した毛先が突き当たることなく、毛先の腹が接触する曲げ癖を付けてなる、電子写真装置。」
　 
【引用例】 
　当審で通知した拒絶の理由に引用された本願優先日前に頒布された刊行物である引用刊行物１（特開昭５７−１１１５７７号公報）には、図面とともに以下の事項が記載されている。
（１−ａ）「転写方式の静電複写機においては、第１図に示すように、通常ドラムとして形成された感光体１を一次帯電チャージャ２により帯電し、露光々学系３により原稿の像を露光位置３’において露光して静電潜像を形成し、現像装置４によ（「現像装置４により」の誤記と認められる。）現像してトナー像を形成し、感光体ドラム１のトナー像を転写チャージャー５の電圧印加のもとで複写紙６に転写し、転写後の感光体１はその表面に残留したトナーをクリーニング装置７により清掃し、除電チャージャー８により除電して再度上記の工程を繰返し、一方トナー像の転写された複写紙６はコロナ分離チャージャー９の作用のもとで感光体ドラム１から分離され、搬送ベルト１０により図示ない定着部に向つて搬送され、定着された後機外に排出される。
　さて、上記のクリーニング装置７としてはフア（兎等の柔かい毛皮）を円筒状にした回転フアーブラシか、弾性体ブレードを感光体周面に当接させて残留トナーを掻き取る方式のものが一般に使用されている。フアーブラシを用いた従来のクリーニング装置の一例は第２図に示す如く、クリーニング筒体１１内に回転フアーブラシ１２がその周面を感光体ドラム１の周面に押圧される位置に回転可能に軸支されている。ブラシの毛先部の感光体１の反対側にはブレード１３が設けられている。表面に残留トナー１４を有する感光体１は図中矢印ａで示す反時計方向に表面周速Ｖ１で回転し、フアーブラシ１２は筒体１１内で矢印Ｃで示す時計方向に前記のＶ１よりも大きい表面周速Ｖ２で回転し、両者の相対運動により残留トナー１４はフアーブラシの毛で掃き取られ毛の間に貯り、ブレード１３により掻落され、図示しないフアンによりダクト１５内を矢印ｄの方向に吸引されて回収される。補助クリーニング手段として弾性体ローラ１６が感光体ドラム１に接触する位置に設けられ、矢印ｆ方向に回転しブラシ１２で除去できなかったトナーを除去するようになっている。
　ブラシ１２は長時間の常に感光体表面周速より速い周速での一方向回転により、第３図に示す如く毛先が一方向に倒れた状態のくせが着き、そのためブラシ１２の直径は正常な直径より小さくなり、かつ毛が寝ること相俟つてクリーニング能力が低下し、ブラシ交換迄の寿命が短くなる。」（第１頁右欄第８行〜第２頁右上欄第１０行）
　
　これらの記載によれば、引用刊行物１には、
「感光体ドラム１に回転フアーブラシ１２の周面を押圧する位置に回転可能に軸支し、その回転フアーブラシ１２の回転により転写後の前記感光体ドラム１上の残留トナー１４を掃き取る静電複写機において、
　前記回転フアーブラシ１２と前記感光体ドラム１との接触部で、それらを順方向に回転させるとともに、前記感光体ドラム１の表面周速Ｖ１が前記回転フアーブラシ１２の表面周速Ｖ２より大きくなるようにし、クリーニング時、前記回転フアーブラシ１２の毛先が一方向に倒れた状態のくせが着くものである静電複写機」
との発明（以下、「引用刊行物１発明」という。）が開示されていると認めることができる。
　
　当審で通知した拒絶の理由に引用された本願優先日前に頒布された刊行物である引用刊行物２（特開平５−１９７３１８号公報）には、図面とともに、以下の事項が記載されている。
（２−ａ）「【００１６】上記およびその他の目的を達成するために、また、前述した欠点を克服するために、本発明のクリーニング装置は回転式擦りブラシを有しており、このブラシは、電荷保持表面の移動方向における主クリーナーの上流に位置している。この擦りブラシは、電荷保持表面に接触して、その上を擦る。電荷保持表面を擦るることによって、電荷保持表面と主クリーナー（このクリーナーとしては、電荷保持表面に対して変位したクリーニング用ブレードであることがのぞまいしい。）との間の摩擦力を低減して、この電荷保持表面上にコメットが形成されることを防止する。
【００１７】この擦りブラシを形成している剛毛は、電荷保持表面が剛毛によってスクラッチされるように、電荷保持表面の硬度よりも高い硬度の材料から製造される。このブラシは一定の速度で回転して、一定の長さの電荷保持表面に接触し、主クリーニング装置と電荷保持表面の間の摩擦係数を減少させるのに充分なスクラッチ動作を行うようになっているが、電荷保持表面を傷つけるほどの硬度は有しておらず、また、電荷保持面上の残留トナー粒子に対して過剰の圧力を加えることのない硬度とされている。」
　
（２−ｂ）「【００３４】クリーニング・ブラシ１４０は、シャフト１４４の外周に（例えばウイービングによって）そこに取り付けた剛毛１４２の複数の束１４１を有する支持シートを螺旋状に包むことによって構成することができる。シャフトを別個のモータ１７０によって回転させるようにすることもできる。しかし、シャフトをギアを介してホトリセプター２０の回転用モータに連結して、シャフト１４４を適切な速度で回転させるようにすることが好ましい。図５に示すように、シャフト１４４の回転方向１４８に対して共通の方向に剛毛１４２を曲げることが好ましい。図に示すような曲がり方向が好ましい。この理由は、ブラシの回転トルクが少なくて済むからである。また、ブラシに付着したトナー粒子が効率良くフリッカー・バー１５０によって除去されるからである。しかし、別の曲がり、あるいは曲がり無しの状態でも機能する。」
　
（２−ｃ）「【００３９】クリーニング装置は次のパラメーターにより製造した。ブレードは、厚さが２ミリメートルのウレタン製ブレードとした。このようなブレードは、Ａｃｕｓｈｎｅｔ Ｒｕｂｂｅｒ Ｃｏ．，Ｎｅｗ Ｂｅｄｆｏｒｄ， Ｍａｓｓ．からＸｅｒｏｘ Ｍａｔｅｒｉａｌ Ｓｐｅｃ． Ｎｏ．９１−０３４６として購入できる。ブレードを、センチメートル当たり２３グラムの力でホトリセプターの側に押しつけた。擦りブラシは、長さが７．５ミリメートルで直径が１７デニールのポリプロピレン製の剛毛を複数本備えている。剛毛（繊維）をひと束当たり４５繊維の束とした。これらの束を織って、（カーペットに類似した構造の）素材を形成して、インチ当たり４０，０００本の繊維となるようにした。個々の繊維の曲げ弾性率は平方ミリメートル当たり１６５０ニュートンであり、ロックウエル・スケールの硬度は９３である。このブラシは、東京四谷２−２−２所在のツチヤ株式会社から購入できる。ブラシ１４０をホトリセプターに対して配置して、処理方向において少なくとも８ミリメートルの間隔でホトリセプターに接触するようにした。ホトリセプターを周速が１９０ｍｍ／秒で回転させて、ブラシを周速が５７０ｍｍ／秒で回転させた。」
　
（２−ｄ）図３には、ベルト２０（ホトリセプター２０）の移動方向が矢印２２で示され（段落００３１参照）、また同図において回転擦りブラシ１４０の回転方向が１４８（段落００３２参照）で示されており、これらによれば回転擦りブラシ１４０と感光体とが接触する位置において、両者は順方向に回転していることが明らかである。
　
　これらの摘記事項（２−ａ）乃至（２−ｄ）の記載によれば、引用刊行物２には、
「ホトリセプター２０の電荷保持表面をホトリセプター２０の進行方向と順方向に回転してクリーニングするクリーニング装置１００内に設けられた回転式擦りブラシ１４０に、回転式擦りブラシ１４０の回転トルクを少なくするために、その回転式擦りブラシ１４０の剛毛１４２に、回転式擦りブラシ１４０の回転方向１４８と逆向きの方向に剛毛１４２を曲げた」
との技術的事項が開示されていると認めることができる。
　
　当審で通知した拒絶の理由に引用された本願優先日前に頒布された刊行物である引用刊行物３（特開平５−２４１４２５号公報）には、図面とともに、以下の事項が記載されている。
（３−ａ）「【００６４】本発明の第２の実施例の概略図を図３に、帯電部分の詳細図を図４に示す。図３および図４に示す本発明の第２の実施例について説明すれば、感光ドラム２の周りに、帯電ブラシ３０、画像露光部６、現像器８、転写ローラ１０が、感光ドラム２の回転方向に順次配列して設けられている。
【００６５】感光ドラム２には、１mm厚みのアルミニウム円筒表面にフタルシアニン系の負極性積層型有機光半導体の感光体を使用した。また、感光ドラム２を周速５０mm／秒で矢印Ａ方向へ回転駆動した。
【００６６】帯電ブラシ３０は、絶縁性のレーヨンにカーボンを分散し、導電化処理をした電気抵抗が１０6Ωの導電性レーヨンの繊維をブラシ状に整形したものである。形状としては、長さが５mmで、太さが６デニール、密度が１０万本／inch2の毛ブラシを、外径φ８mmの非磁性ＳＵＳの中実円筒軸のまわりに、電気的な導通が取れるように接着したものである。帯電ブラシ３０は、感光ドラム２に１mmの喰い込み量で喰い込む様に保持し、矢印Ｃ方向に１５０mm／秒の速さで回転駆動する。したがって、感光ドラム２と帯電ブラシ３０が相対速度約１００mm／秒で摺接するようにしている。」
　
（３−ｂ）「【０１０３】図６に帯電ブラシのブラシ形状の詳細図を示す。（ａ）は、直線状のブラシである。（ｂ）は、ブラシの先端を輪っか状に変形したブラシである。（ｃ）は、ブラシの先端を寝かせる加工をしたものである。図６において、５０は導電性の基板であり、５２、５４、５６はそれぞれ繊維状のブラシである。・・・・
【０１０５】また、（ｃ）のように先端を寝かせる加工をした場合には、新たな毛倒れがし難く、加えて、感光体へ接触することのできるブラシ本数を多くすることができる。したがって、感光体と帯電ブラシ５６との接触状態をより安定に保持することができるため、さらに安定な帯電を実現することができる。
【０１０６】さらに、（ｃ）のようなブラシ５６を使用する場合、毛の寝ている方向に感光体と摺接するのが一般的である・・・・・。」
　
　図３及び上記摘記事項（３−ａ）から、感光ドラム２が図３及び図４のＡ方向に回転し、帯電ブラシ３０がＣ方向に回転するから、感光ドラム２と帯電ブラシ３０とは、両者の接触位置で順方向に回転していることは明らかである。
　これら摘記事項（３−ａ）及び（３−ｂ）の記載によれば引用刊行物３には、
「帯電ブラシと感光体との接触部で、それらを順方向に回転させるとともに、前記感光体の線速より前記帯電ブラシの線速が速くなるように、その帯電ブラシの周速を１５０ｍｍ／秒、前記感光体の周速を５０ｍｍ／秒に設定したものにおいて、新たな毛倒れをし難く、感光体と帯電ブラシ５６との接触状態をより安定に保持するために、前記帯電ブラシのブラシ形状を、その先端が帯電ブラシの回転方向と逆向きに寝かせる加工をした」
との技術的事項が開示されていると認めることができる。
 　 
【対比】
　そこで、本願発明と引用刊行物１発明とを対比すると、引用刊行物１発明における「感光体ドラム１」「回転フアーブラシ１２」「くせ」及び「静電複写機」は、本願発明における「感光体」「回転クリーニング部材」「曲げ癖」及び「電子写真装置」に各々相当し、また引用刊行物１発明の「感光体ドラム１に回転フアーブラシ１２の周面を押圧する位置に回転可能に軸支し、その回転フアーブラシ１２の回転により転写後の前記感光体ドラム１上の残留トナー１４を掃き取る」は、本願発明の「感光体を回転クリーニング部材の外周内に食い込ませ、その回転クリーニング部材の回転により画像転写後の前記感光体上の残留トナーを除去する」に相当する。
　また、上記摘記事項（ａ）には「ブラシ１２は長時間の常に感光体表面周速より速い周速での一方向回転により、第３図に示す如く毛先が一方向に倒れた状態のくせが着」くことが記載されており、この「くせ」は、第２図の回転フアーブラシ１２の毛先の形状及び向き並びに感光体ドラム１及び回転ファーブラシ１２の回転方向を示す矢印等の記載、第３図の回転フアーブラシ１２の毛先の形状及び向きの記載から、「その毛先が回転クリーニングブラシの回転方向と逆向きに湾曲」したものであることが明らかである。
　さらに、両者は回転クリーニング部材の毛先に回転クリーニングブラシの回転方向と逆向きに湾曲した曲げ癖がついている点で共通することは明らかであるから、
　　
　両者は、「感光体を回転クリーニング部材の外周内に食い込ませ、その回転クリーニング部材の回転により画像転写後の前記感光体上の残留トナーを除去する電子写真装置において、
　前記回転クリーニング部材と前記感光体との接触部で、それらを順方向に回転させるとともに、前記感光体の線速より前記回転クリーニング部材の線速が速くなるように、その回転クリーニング部材および前記感光体の回転速度を設定し、前記回転クリーニング部材として回転クリーニングブラシを用い、その回転クリーニングブラシのブラシ毛に、その毛先が回転クリーニングブラシの回転方向と逆向きに湾曲した曲げ癖が着いている電子写真装置。」
　
である点で一致し、以下の点で相違する。
『相違点１』：本願発明が、感光体の線速より回転クリーニング部材の線速が速くなるのは、回転クリーニング部材と感光体との接触部の「どこの点にあっても」であるのに対して、引用刊行物１発明には、このことについて明記されていない点。
『相違点２』：本願発明が、回転クリーニングブラシのブラシ毛の曲げ癖を、「クリーニング時、感光体の表面にその湾曲した毛先が突き当たることなく、毛先の腹が接触する」としているのに対して、引用刊行物１発明においては、このことについて明記されていない点。
『相違点３』：本願発明が、回転クリーニングブラシのブラシ毛に、その毛先が回転クリーニングブラシの回転方向と逆向きに湾曲した曲げ癖を付けてなるものであるのに対して、引用刊行物１発明では、電子写真装置の画像形成動作において回転クリーニングブラシのブラシ毛に回転方向と逆向きに湾曲した曲げ癖が付いたものであり、引用刊行物１には、かかる曲げ癖が付いたものは、好適でないものとして記載されている点。
　
【判断】　
　まず、『相違点１』について検討すると、回転クリーニングブラシと感光体との接触部で、それらを順方向に回転させる電子写真装置においては、感光体上の残留トナーを適切にクリーニングするというクリーニング工程に本来的な技術的課題からして、回転クリーニングブラシの表面速度を感光体のそれに対して十分に大きくすることは当業者が当然考慮すべきことであり、回転クリーニングブラシの表面速度を感光体のそれの２倍乃至３倍に設定することが、例えば特開平１−２５７８９０号公報にみられる。
　してみれば、引用刊行物１発明のものも、回転クリーニングブラシと感光体との接触部の「どこの点にあっても」感光体の線速より回転クリーニング部材の線速が速くなると認められるので、『相違点１』は実質的な相違点とはいえない。
　
　次に『相違点２』について検討すると、引用刊行物１発明における回転クリーニングブラシは、感光体と順方向に回転し、毛先に回転方向と逆向きに湾曲する曲げ癖を付けたものであるから、ブラシ毛の曲げ癖が「感光体の表面にその湾曲した毛先が突き当たることなく、毛先の腹が接触」しているものと認められるから、『相違点２』も実質的な相違点とはいえない。
　
　さらに、『相違点３』について検討すると、感光体と順方向に回転する回転クリーニングブラシにおいて、感光体に摺擦する回転ブラシ部材のブラシ毛の形状を、感光体との接触の安定化、新たな毛倒れの防止等の目的で、その毛先に回転ブラシの回転方向と逆向きに湾曲した曲げ癖を予め付けることは、引用刊行物２及び３にみられるように本願優先日前周知の技術的事項である。よって、引用刊行物１発明における曲げ癖の着いた回転クリーニングブラシを、積極的に採用することは、当業者が容易に想到し得た程度の技術的事項と認められる。
　
　そして、『相違点１』〜『相違点３』のようにしたことにより、引用刊行物１発明及び周知の技術的事項から当業者が予測できない格別の作用効果を奏するものとも認められない。
　
【むすび】
　したがって、本願発明は、引用刊行物１に記載された発明及び周知の技術的事項に基づいて当業者が容易に発明をすることができたものであるので、特許法第２９条第２項の規定により特許を受けることができない。
　よって、結論のとおり審決する。